(57)【特許請求の範囲】
【請求項１】
水生生物観賞用の水槽であって、水攪拌用プロペラを有し、そのプロペラを駆動するための小型モータを取り付け、このモータをソーラーパネル及び電池により稼動させるようにしてなるソーラー水槽において、
水槽容器には、駆動部と、前記プロペラにより掻き揚げられた水しぶきの飛散を防止するための水しぶき防止パネルと、前記プロペラに生物が接触するのを防止するための保護ネットとが、それぞれ着脱自在に装着され、
前記駆動部には、前記モータが取り付けられるとともに、前記モータを稼動させるためのソーラー蓄電池及び電池が収容されており、前記モータには、前記プロペラが連結され、前記ソーラー蓄電池及び電池を切り替えるスイッチ手段が備えられており、
前記水しぶき防止パネルは、少なくとも前記水槽容器より上方部分において前記プロペラの後方、両側方及び上方から前記プロペラを囲うようにして、前記水槽容器に装着され、
前記保護ネットは、少なくとも前記プロペラを水中で包囲するようにして、前記水槽容器に装着されている
ことを特徴とするソーラー水槽。
【請求項２】
前記ソーラー蓄電池には、ソーラーパネルが、入れ子式の送電パイプを介して着脱自在に配線接続されていて、
前記ソーラーパネルは、前記送電パイプにより、前記駆動部本体に対してアンテナ状に支持されている
ことを特徴とする請求項１に記載のソーラー水槽。
【請求項３】
前記ソーラー蓄電池には、ソーラーパネルが、引き回し自在の可撓性の配線を介して着脱自在に配線接続されていることを特徴とする請求項１に記載のソーラー水槽。
【請求項４】
前記水しぶき防止パネルは、前記プロペラの後方から前記プロペラを囲う矩形状の垂直パネルと、前記プロペラの両側方及び上方から前記プロペラを囲うアーチ状の湾曲パネルとからなり、
前記垂直パネルと前記湾曲パネルとは、分解・組立自在に一体に組み立てられていることを特徴とする請求項１ないし３のいずれかに記載のソーラー水槽。
【請求項５】
前記垂直パネルと前記湾曲パネルとは、前記保護ネットとさらに分解・組立自在に一体に組み立てられていることを特徴とする請求項４に記載のソーラー水槽。
【請求項６】
前記保護ネットには、その両端に掛けフックがそれぞれ備えられ、
前記掛けフックが、前記水槽容器の対向する壁体の頂部にそれぞれ係止されることにより、前記垂直パネルと前記湾曲パネルと前記保護ネットとの一体組立体が、前記水槽容器に着脱自在に装着される
ことを特徴とする請求項５に記載のソーラー水槽。
【請求項７】
前記垂直パネルは、その内部に写真や絵画等のシート状物を挿入可能に構成されていることを特徴とする請求項４ないし６のいずれかに記載のソーラー水槽。
【発明の詳細な説明】
【技術分野】
【０００１】
本願の発明は、水生生物観賞用の水槽であって、特に水攪拌用プロペラを有し、そのプロペラを駆動するための小型モータを取り付け、このモータをソーラーパネル及び電池により稼動させるようにしてなるソーラー水槽に関する。
【背景技術】
【０００２】
現在の市販されている水生生物観賞用の水槽のほとんどは、家庭用電源を使用し、エアーポンプにより酸素を水槽中に供給する必要があり、常に、コンセントを引ける場所にしか設置することができない。
【０００３】
また、電池にて稼動させられる水攪拌装置を備えた小型水槽も提案されているが、電池のみの利用であり、水攪拌装置の稼働時間が比較的短い。ソーラー電源をも併用して、長時間稼動を可能にした水攪拌装置を備えた利便性の高い小型水槽は、未だ見受けられない。
【特許文献１】実用新案登録第３０９１４８５号公報
【特許文献２】特開２００３−２７４７９５号公報
【発明の開示】
【発明が解決しようとする課題】
【０００４】
本願の発明は、従来の水槽が有する前記のような問題点を解決して、エアーポンプの代わりに水攪拌用プロペラを用いて酸素供給を可能にし、家庭用商用電源の代わりにソーラーパネルを用いて電源供給を可能にして、長時間稼動が可能で、利便性の高いソーラー水槽を提供することを課題とする。
【課題を解決するための手段】
【０００５】
本願の発明のソーラー水槽は、ソーラーパネルにより小型モータを稼動させ、該モータに取り付けたプロペラを駆動して水を攪拌することにより、水中に酸素を送り込む方式である。また、ソーラーパネルが使用できない場合には、電池への切り替えによってモータを稼動できるようにしている。また、プロペラの駆動により生じる水しぶきは、水しぶき防止パネルにより防止している。さらに、プロペラの回転が生物に及ぼす危険を回避するために、生物がプロペラに接触するのを防止する保護ネットを水槽に装着している。
【０００６】
具体的には、前記のような課題は、本願の各請求項に記載された次のような発明により解決される。  
すなわち、その請求項１に記載された発明は、水生生物観賞用の水槽であって、水攪拌用プロペラを有し、そのプロペラを駆動するための小型モータを取り付け、このモータをソーラーパネル及び電池により稼動させるようにしてなるソーラー水槽において、水槽容器には、駆動部と、前記プロペラにより掻き揚げられた水しぶきの飛散を防止するための水しぶき防止パネルと、前記プロペラに生物が接触するのを防止するための保護ネットとが、それぞれ着脱自在に装着され、前記駆動部には、前記モータが取り付けられるとともに、前記モータを稼動させるためのソーラー蓄電池及び電池が収容されており、前記モータには、前記プロペラが連結され、前記ソーラー蓄電池及び電池を切り替えるスイッチ手段が備えられており、前記水しぶき防止パネルは、少なくとも前記水槽容器より上方部分において前記プロペラの後方、両側方及び上方から前記プロペラを囲うようにして、前記水槽容器に装着され、前記保護ネットは、少なくとも前記プロペラを水中で包囲するようにして、前記水槽容器に装着されていることを特徴とするソーラー水槽である。
【０００７】
請求項１に記載された発明は、前記のように構成されているので、家庭用商用の１００Ｖ電源に代わるソーラー電源（ソーラーパネルにより得られる電源）により稼動される小型モータを含む電動部品一式が、駆動部に収容されるか取り付けられており、この駆動部が、水槽容器に着脱自在に装着されている。そして、この駆動部には、ソーラー電源が使用できない場合の代替電源としての電池も収容されている。このため、このソーラー水槽は、長時間稼動が可能であり、長時間に亘って水攪拌用プロペラが回転して水を攪拌することにより、長時間に亘って水槽中に酸素を供給することができる。また、持ち運びが自由で、どこにでも設置可能であり、利便性が高い。
【０００８】
また、このソーラー水槽には、水しぶき防止パネルが着脱自在に装着されており、この水しぶき防止パネルは、少なくとも水槽容器より上方部分において水攪拌用プロペラの後方、両側方及び上方からこのプロペラを囲うので、プロペラの回転により掻き揚げられた水しぶきの飛散を効果的に防止することができる。また、持ち運びがさらに自由になり、ソーラー水槽の利便性を一層向上させることができる。
【０００９】
さらに、このソーラー水槽には、保護ネットが着脱自在に装着されており、この保護ネットは、プロペラに生物が近付いて接触するのを防止するので、生物の保護を図り、生物を長期に亘って生育することができる。また、持ち運びがさらに自由になり、ソーラー水槽の利便性を一層向上させることができる。
【００１０】
また、その請求項２に記載された発明は、請求項１に記載のソーラー水槽において、そのソーラー蓄電池には、ソーラーパネルが、入れ子式の送電パイプを介して着脱自在に配線接続されていて、該ソーラーパネルは、該送電パイプにより、駆動部本体に対してアンテナ状に支持されていることを特徴としている。
【００１１】
請求項２に記載された発明は、この構成により、ソーラーパネルの支持を簡易に行えるとともに、ソーラー水槽全体をコンパクトに構成することができる。
【００１２】
また、その請求項３に記載された発明は、請求項１に記載のソーラー水槽において、そのソーラー蓄電池には、ソーラーパネルが、引き回し自在の可撓性の配線を介して着脱自在に配線接続されていることを特徴としている。
【００１３】
請求項３に記載された発明は、この構成により、ソーラー水槽本体とソーラーパネルとを、距離を隔てて、それぞれ所望の個所に設置することが可能になる。例えば、ソーラーパネルを、太陽光の吸収効率の良い個所に自在に設置することができる。
【００１４】
さらに、その請求項４に記載された発明は、請求項１ないし３のいずれかに記載のソーラー水槽において、その水しぶき防止パネルが、プロペラの後方から該プロペラを囲う矩形状の垂直パネルと、該プロペラの両側方及び上方から該プロペラを囲うアーチ状の湾曲パネルとからなり、これら垂直パネルと湾曲パネルとは、分解・組立自在に一体に組み立てられていることを特徴としている。
【００１５】
請求項４に記載された発明は、この構成により、水しぶき防止パネルの製作が容易になる。また、ソーラー水槽の持ち運びがさらに自由になり、ソーラー水槽の利便性を一層向上させることができる。
【００１６】
また、その請求項５に記載された発明は、請求項４に記載のソーラー水槽において、その垂直パネルと湾曲パネルとが、保護ネットとさらに分解・組立自在に一体に組み立てられていることを特徴としている。
【００１７】
請求項５に記載された発明は、この構成により、部品の紛失が防がれ、持ち運びに便利であるとともに、これらの部品の水槽容器への装着を一度で行うことができ、ソーラー水槽の利便性を一層向上させることができる。
【００１８】
また、その請求項６に記載された発明は、請求項５に記載のソーラー水槽において、その保護ネットには、その両端に掛けフックがそれぞれ備えられ、該掛けフックが、水槽容器の対向する壁体の頂部にそれぞれ係止されることにより、垂直パネルと湾曲パネルと保護ネットとの一体組立体が、該水槽容器に着脱自在に装着されることを特徴としている。
【００１９】
請求項６に記載された発明は、この構成により、垂直パネルと湾曲パネルと保護ネットとの一体組立体を、ワンタッチで、水槽容器に着脱自在に装着することができ、ソーラー水槽の利便性をさらに一層向上させることができる。
【００２０】
さらに、その請求項７に記載された発明は、請求項５に記載のソーラー水槽において、その垂直パネルは、その内部に写真や絵画等のシート状物を挿入可能に構成されていることを特徴としている。
【００２１】
請求項７に記載された発明は、この構成により、ソーラー水槽の設置個所や利用目的に応じて、それぞれの場合に相応しい写真や絵画等のシート状物を垂直パネルに挿入することにより、ソーラー水槽の利用価値を一層向上させることができる。例えば、教育効果や趣味的効果を一層高めるように、ソーラー水槽を利用することが可能になる。
【発明の効果】
【００２２】
前記のとおり、本願の発明のソーラー水槽は、ソーラー電源（ソーラーパネルにより得られる電源）と電池との併用であり、長時間稼動が可能で、長時間に亘って水攪拌用プロペラが回転して水を攪拌することにより、長時間に亘って水槽中に酸素を供給することができる。また、持ち運びが自由で、どこにでも設置可能であり、利便性が高い。
【００２３】
また、水しぶき防止パネルが水槽に装着されているので、プロペラの回転により掻き揚げられた水しぶきの飛散を効果的に防止することができる。また、保護ネットが水槽容器に装着されているので、生物の保護を図り、生物を長期に亘って生育することができる。加えて、これらは、水槽容器に着脱自在に装着されているので、持ち運びがさらに自由になり、ソーラー水槽の利便性を一層向上させることができる。
【００２４】
また、ソーラー蓄電池には、ソーラーパネルが、入れ子式の送電パイプを介して着脱自在に配線接続され、該ソーラーパネルは、該送電パイプにより、駆動部本体に対してアンテナ状に支持される場合には、ソーラーパネルの支持を簡易に行えるとともに、ソーラー水槽全体をコンパクトに構成することができる。
【００２５】
さらに、そのソーラー蓄電池には、ソーラーパネルが、引き回し自在の可撓性の配線を介して着脱自在に配線接続される場合には、ソーラー水槽本体とソーラーパネルとを、距離を隔てて、それぞれ所望の個所に設置することが可能になる。例えば、ソーラーパネルを、太陽光の吸収効率の良い個所に自在に設置することができる。
【００２６】
また、水しぶき防止パネルが、プロペラの後方から該プロペラを囲う矩形状の垂直パネルと、該プロペラの両側方及び上方から該プロペラを囲うアーチ状の湾曲パネルとからなり、これら垂直パネルと湾曲パネルとが、分解・組立自在に一体に組み立てられる場合には、水しぶき防止パネルの製作が容易になる。また、ソーラー水槽の持ち運びがさらに自由になり、ソーラー水槽の利便性を一層向上させることができる。
【００２７】
また、垂直パネルと湾曲パネルとが、保護ネットとさらに分解・組立自在に一体に組み立てられる場合には、部品の紛失が防がれ、持ち運びに便利であるとともに、これらの部品の水槽容器への装着を一度で行うことができ、ソーラー水槽の利便性を一層向上させることができる。
【００２８】
さらに、その保護ネットには、その両端に掛けフックがそれぞれ備えられ、該掛けフックが、水槽容器の対向する壁体の頂部にそれぞれ係止されることにより、垂直パネルと湾曲パネルと保護ネットとの一体組立体が、該水槽容器に着脱自在に装着される場合には、垂直パネルと湾曲パネルと保護ネットとの一体組立体を、ワンタッチで、水槽容器に着脱自在に装着することができ、ソーラー水槽の利便性をさらに一層向上させることができる。
【００２９】
さらに、また、その垂直パネルが、その内部に写真や絵画等のシート状物を挿入可能に構成される場合には、ソーラー水槽の設置個所や利用目的に応じて、それぞれの場合に相応しい写真や絵画等のシート状物を垂直パネルに挿入することにより、ソーラー水槽の利用価値を一層向上させることができる。例えば、教育効果や趣味的効果を一層高めるように、ソーラー水槽を利用することが可能になる。
【発明を実施するための最良の形態】
【００３０】
駆動部（電動部品一式）は、水槽容器に掛け式にして着脱自在に装着することにより、水槽の水替えなどの作業を容易に行えるようにする。駆動部は、ソーラーパネルにより小型モータを稼動させるための配線と、電池により小型モータを稼動させるための配線とを切替え可能に構成する。また、ソーラーパネルと駆動部本体とは、プラグとジャックとにより着脱可能にし、設置条件によって、ソーラーパネルの配置形態は、アンテナ式と配線式との２通りとする。さらに、水槽容器には、水しぶき防止パネルと生物保護のための保護ネットとを着脱自在に装着するとともに、これらを分解・組立自在に一体化する。
【実施例】
【００３１】
次に、本願の発明の一実施例について説明する。
図１は、本実施例のソーラー水槽を斜め前方から見た概略斜視図、図２は、同ソーラー水槽を斜め後方から見た概略斜視図、図３は、水しぶき防止パネルと保護ネットとの一体組立体の正面図、図４は、同一体組立体の背面図、図５は、水攪拌用プロペラを駆動する駆動部本体の正面図である。
【００３２】
本実施例のソーラー水槽は、小型の水生生物観賞用水槽であって、特に、比較的小さい魚貝類や水生植物を観賞用、趣味用、教育用に飼育するのに適している。そして、水攪拌用プロペラを有し、そのプロペラを駆動するための小型モータを取り付けていて、このモータをソーラーパネル及び電池により稼動させるようになっている。水攪拌用プロペラが回転することにより、水槽中の水が攪拌されて、曝気され、空気中の酸素が水中に取り込まれる。
【００３３】
本実施例のソーラー水槽１は、図１に示されるように、あらまし、直方体形状の水槽容器２と、該水槽容器２に着脱自在に装着された、電動部品一式を収容する駆動部１０と、水攪拌用プロペラ２２により掻き揚げられた水しぶきの飛散を防止するために、水槽容器２に着脱自在に装着された水しぶき防止パネル４と、プロペラ２２に生物が接触するのを防止するために、水槽容器２に着脱自在に装着された保護ネット３とにより構成されている。
【００３４】
水しぶき防止パネル４は、少なくとも水槽容器２より上方部分においてプロペラ２２の後方、両側方及び上方から該プロペラ２２を囲うようにして、水槽容器２に装着されている。この水しぶき防止パネル４は、図１、図３及び図４に示されるように、実際には、プロペラ２２の後方から該プロペラ２２を囲う矩形状の垂直パネル４ａと、該プロペラ２２の両側方及び上方から該プロペラ２２を囲うアーチ状の湾曲パネル４ｂとからなっており、これら垂直パネル４ａと湾曲パネル４ｂとが、複数本のゴム紐７によりくっつけられて、分解・組立自在に一体に組み立てられている。これら垂直パネル４ａと湾曲パネル４ｂとの一体組立体は、保護ネット３とさらに分解・組立自在に一体に組み立てられているが、この一体組立構造については、後述する。
【００３５】
保護ネット３は、少なくともプロペラ２２を水中で包囲するようにして、プロペラ２２を駆動するモータ２１が取り付けられている水槽容器２の壁体（図１において後方壁体）側に寄せられて、水槽容器２に装着されている。この装着のために、保護ネット３には、その両端に掛けフック６が、それぞれボルトとナットとの組合せのような固着手段を用いて取り付けられており、これらの掛けフック６が、図１に示されるように、水槽容器２の対向する壁体の頂部にそれぞれ係止されることにより、保護ネット３が水槽容器２に着脱自在に装着されるようになっている。
【００３６】
なお、実際には、図１、図３及び図４に示されるように、保護ネット３の両端に掛けフック６が固着手段を用いて取り付けられる個所に、湾曲パネル４ｂの両端部も、同じ固着手段を用いて保護ネット３の両端に取り付けられており、これにより、保護ネット３と湾曲パネル４ｂと垂直パネル４ａとが、それぞれ図示の姿勢にして一体的に組み立てられている。したがって、保護ネット３の両端の掛けフック６を水槽容器２の対向する壁体の頂部にそれぞれ係止することにより、これら３つの部品の一体組立体を、ワンタッチで、水槽容器２に着脱自在に装着することができる。
【００３７】
垂直パネル４ａは、２枚のパネル材を外周縁部で貼り合わせることにより構成されており、それらの間に写真や絵画等の各種シート状物５を挿入可能である。したがって、これらのシート状物５を適宜交換することにより、魚介類を飼育する水槽の観賞的効果、趣味的効果、教育的効果を一層高めることができる。
【００３８】
次に、電動部品一式を収容する駆動部１０の構造について、図１、図２及び図５を参照しながら、詳細に説明する。
駆動部１０は、大別して、駆動部本体１１とソーラーパネル部１２とからなっている。駆動部本体１１には、コントロールボックス１３の上面にねじ止めにより据え付けられたスタンド１４に、モータ２１が取り付けられており、該モータ２１を稼動させるためのソーラー蓄電池１７及び電池１８が、コントロールボックス１３の背面の左右にそれぞれ設けられた電源収容用凹部にそれぞれ収容されている。モータ２１の出力軸には、３枚羽根式のプロペラ２２が連結されている。このプロペラ２２は、水槽容器２に収容された水中に、その略下３分の１余りの部分を浸漬させている。さらに、ソーラー蓄電池１７及び電池１８を切り替えるためのスイッチ１９と、電圧計２０とが、コントロールボックス１３の背面中央部にそれぞれ備えられている。
【００３９】
ソーラー蓄電池１７には、ソーラーパネル２５が、入れ子式の送電パイプ２６及び配線２９を介して、プラグ２４とジャック２３との連結部分において着脱自在に、配線接続されていて、ソーラー電源が利用できるときには、スイッチ１９をソーラー電源側に倒すことにより、ソーラー電源によりモータ２１が稼動させられて、プロペラ２２が回転する。
【００４０】
送電パイプ２６は、ソーラーパネル２５の出力端に直に繋がる一対の小径送電パイプ２６ａと、一対の大径送電パイプ２６ｂとが、入れ子式に嵌まり合うことによって構成されている。これら一対の小径送電パイプ２６ａ、一対の大径送電パイプ２６ｂは、適宜本数の補強部材２７、２８によってそれぞれ連結されていて、それぞれ一体に組み立てられている。なお、小径送電パイプ２６ａは、中実の剛性のある電線により代えられても良く、入れ子式の送電パイプ２６は、このようにされた場合をも含むものとする。
【００４１】
前記のようにしてソーラー蓄電池１７に配線接続されるソーラーパネル２５は、送電パイプ２６により、駆動部本体１１に対してアンテナ状に支持されている。そして、ソーラーパネル２５と送電パイプ２６との一体組立体は、一対の大径送電パイプ２６ｂの各々の端部に結合された一対のプラグ２４を対応する一対のジャック２３から引き抜くことによって、駆動部本体１１から取り外すことができる。これらソーラーパネル２５と送電パイプ２６との一体組立体は、ソーラーパネル部１２を構成している。
【００４２】
ソーラーパネル２５と送電パイプ２６との一体組立体を駆動部本体１１から取り外した後には、図６に示されるような別個のソーラーパネル２５を、引き回し自在の可撓性の配線３１を介して、プラグ２４とジャック２３とからなる同様の連結手段を用いてソーラー蓄電池１７に着脱自在に、配線接続することができる。そして、この配線３１の長さを所要の長さに設定することにより、ソーラー水槽本体とソーラーパネル２５とを、距離を隔てて、それぞれ所望の個所に設置することが可能になる。なお、ここで、ソーラー水槽本体とは、ソーラー水槽１からソーラーパネル部１２を除いた部分を指している。
【００４３】
ジャック２３は、コントロールボックス１３の上面に取り付けられたブラケット１５の頂部に固着された水平の取付け台１５ａ上に一対設けられている。ソーラー蓄電池１７と電池１８とは、配線３０を介してモータ２１に接続されている。
【００４４】
なお、コントロールボックス１３の上面にスタンド１４がねじ止めにより据え付けられる個所には、掛けフック１６が、モータ２１を挟んでその両側に、同じねじを用いてコントロールボックス１３の上面に取り付けられている。詳細に説明すれば、スタンド１４の筒状部（ここにモータ２１が収容されている）の下方両側にそれぞれ延出する一対の平坦な取付け部１４ａの上面に一対の掛けフック１６の下端折曲部１６ａがそれぞれ重ねられ、この状態において、下端折曲部１６ａの上方から、ねじが、下端折曲部１６ａ、取付け部１４ａを貫通してコントロールボックス１３の上面にねじ込まれることにより、一対の掛けフック１６とスタンド１４とが一挙にコントロールボックス１３の上面に取り付けられている。そして、これら一対の掛けフック１６を水槽容器２の後方壁体の頂部にそれぞれ係止することにより、駆動部本体１１が水槽容器２に着脱自在に装着されるようになっている。
【００４５】
本実施例のソーラー水槽１は、前記のように構成されているので、次のような効果を奏することができる。
本実施例のソーラー水槽１は、ソーラー電源（ソーラーパネル２５により得られる電源）と電池１８との併用であり、長時間稼動が可能で、長時間に亘って水攪拌用プロペラ２２が回転して水を攪拌することにより、長時間に亘って水槽中に酸素を供給することができる。また、持ち運びが自由で、どこにでも設置可能であり、利便性が高い。
【００４６】
また、水しぶき防止パネル４が水槽容器２に装着されているので、プロペラ２２の回転により掻き揚げられた水しぶきの飛散を効果的に防止することができる。また、保護ネット３が水槽容器２に装着されているので、生物（魚介類や水生植物）の保護を図り、生物を長期に亘って生育することができる。加えて、これらは、水槽容器２に着脱自在に装着されているので、持ち運びがさらに自由になり、ソーラー水槽１の利便性を一層向上させることができる。
【００４７】
また、ソーラー蓄電池１７には、ソーラーパネル２５が、入れ子式の送電パイプ２６を介して着脱自在に配線接続され、該ソーラーパネル２５は、該送電パイプ２６により、駆動部本体１１に対してアンテナ状に支持されるので、ソーラーパネル２５の支持を簡易に行えるとともに、ソーラー水槽全体をコンパクトに構成することができる。
【００４８】
さらに、そのソーラー蓄電池１７には、ソーラーパネル２５が、引き回し自在の可撓性の配線３１を介して着脱自在に配線接続される場合には、ソーラー水槽本体とソーラーパネル２５とを、距離を隔てて、それぞれ所望の個所に設置することができ、例えば、ソーラーパネル２５を、太陽光の吸収効率の良い個所に自在に設置することができる。
【００４９】
また、水しぶき防止パネル４は、プロペラ２２の後方から該プロペラ２２を囲う矩形状の垂直パネル４ａと、該プロペラ２２の両側方及び上方から該プロペラを囲うアーチ状の湾曲パネル４ｂとからなり、これら垂直パネル４ａと湾曲パネル４ｂとが、分解・組立自在に一体に組み立てられているので、水しぶき防止パネル４の製作が容易になる。また、ソーラー水槽１の持ち運びがさらに自由になり、ソーラー水槽１の利便性を一層向上させることができる。
【００５０】
また、垂直パネル４ａと湾曲パネル４ｂとは、保護ネット３とさらに分解・組立自在に一体に組み立てられており、この一体組立体が、保護ネット３の両端に備えられた掛けフック６を水槽容器２の対向する壁体の頂部にそれぞれ係止することにより、水槽容器２に着脱自在に装着されるので、その一体組立体を、ワンタッチで、水槽容器２に着脱自在に装着することができ、ソーラー水槽１の利便性をさらに一層向上させることができる。
【００５１】
さらに、また、その垂直パネル４ａが、写真や絵画等のシート状物５を挿入可能に構成されているので、ソーラー水槽１の設置個所や利用目的に応じて、それぞれの場合に相応しい写真や絵画等のシート状物５を垂直パネル４ａに挿入することにより、ソーラー水槽１の利用価値を一層向上させることができる。例えば、教育効果や趣味的効果を一層高めるように、ソーラー水槽１を利用することができる。
【００５２】
なお、本願の発明は、以上の実施例に限定されず、その要旨を逸脱しない範囲において、種々の変形が可能である。
例えば、利用できる太陽光が少量である場合には、羽根式のプロペラ２２に代えて、直線状針金の両端を丸く折曲して構成した線状プロペラのようなものを使用しても、相当の水攪拌効果を得ることができる。
【産業上の利用可能性】
【００５３】
本願発明の水槽は、電源が不要であるため、あらゆる産業の場で設置が可能である。例えば、レストラン等、飲食店における陽の当たる窓際、家庭の玄関、机の蛍光灯の下（蛍光灯にソーラーパネルを当てることにより稼動する）、野外での生物観察会などの環境教育の場で設置が可能である。
【図面の簡単な説明】
【００５４】
【図１】本願の発明の一実施例のソーラー水槽を斜め前方から見た概略斜視図である。
【図２】同ソーラー水槽を斜め後方から見た概略斜視図である。
【図３】水しぶき防止パネルと保護ネットとの一体組立体の正面図である。
【図４】同一体組立体の背面図である。
【図５】水攪拌用プロペラを駆動する駆動部本体の正面図である。
【図６】ソーラーパネル部の変形例を示す図である。
【符号の説明】
【００５５】
１…ソーラー水槽、２…水槽容器、３…保護ネット、４…水しぶき防止パネル、４ａ…垂直パネル、４ｂ…湾曲パネル、５…シート状物、６…掛けフック、７…ゴム紐、１０…駆動部、１１…駆動部本体、１２…ソーラーパネル部、１３…コントロールボックス、１４…スタンド、１４ａ…取付け部、１５…ブラケット、１５ａ…取付け台、１６…掛けフック、１６ａ…下端折曲部、１７…ソーラー蓄電池、１８…電池、１９…スイッチ、２０…電圧計、２１…モータ、２２…水攪拌用プロペラ、２３…ジャック、２４…プラグ、２５…ソーラーパネル、２６…送電パイプ、２６ａ…小径送電パイプ、２６ｂ…大径送電パイプ、２７、２８…補強部材、２９〜３１…配線。
【要約】
【課題】  水攪拌用プロペラを用いて酸素供給を可能にし、ソーラーパネルを用いて電源供給を可能にして、長時間稼動が可能で、利便性の高いソーラー水槽を提供する。
【解決手段】  水生生物観賞用のソーラー水槽１において、水槽容器２には、駆動部１０と、水しぶき防止パネル４と、プロペラ２２に生物が接触するのを防止するための保護ネット３とが、それぞれ着脱自在に装着されている。駆動部１０には、モータ２１が取り付けられ、モータ２１を稼動させるためのソーラー蓄電池及び電池が収容されている。モータ２１には、プロペラ２２が連結され、ソーラー蓄電池及び電池を切り替えるスイッチ手段が備えられている。ソーラー蓄電池には、ソーラーパネル２５が、送電パイプ２６を介して着脱自在に配線接続されている。
【選択図】      図１【図１】
0004167723.tif 000002
【図２】
0004167723.tif 000003
【図３】
0004167723.tif 000004
【図４】
0004167723.tif 000005
【図５】
0004167723.tif 000006
【図６】
0004167723.tif 000007